(57)【要約】【課題】有効的なスパムメール防止策を提供する。【解決手段】受信サーバ４は受信した電子メールのメールヘッダを参照し、メールヘッダのＦｒｏｍデータに全角文字が含まれているかどうかの判断を行い、全角文字が含まれている場合に受信した電子メールを前記迷惑電子メールとする。【選択図】      図２
2004248135.tif 000002
【特許請求の範囲】
【請求項１】
送信者端末にて作成された電子メールを送信サーバからインターネットを介して送信先である受信サーバに送信し前記受信サーバから前記電子メールを受信者端末に送付する電子メールシステムにおける迷惑電子メールのブロック方法において、前記受信サーバは受信した前記電子メールのメールヘッダを参照し、予め定められた方法により前記電子メールが前記迷惑電子メールと判断することを特徴とする迷惑電子メールのブロック方法。
【請求項２】
前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする請求項１記載の迷惑電子メールのブロック方法。
【請求項３】
送信者端末にて作成された電子メールを送信サーバからインターネットを介して送信先である受信サーバに送信し前記受信サーバから前記電子メールを受信者端末に送付する電子メールシステムにおける迷惑電子メールのブロック方式において、前記受信サーバは受信した前記電子メールのメールヘッダを参照し予め定められた方法により前記電子メールが前記迷惑電子メールと判断するＦｒｏｍデータ確認手段を含んで構成されることを特徴とする迷惑電子メールのブロック方式。
【請求項４】
前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする請求項３記載の迷惑電子メールのブロック方式。
【請求項５】
送信者端末にて作成された電子メールを送信サーバからインターネットを介して送信先である受信サーバに送信し前記受信サーバから前記電子メールを受信者端末に送付する電子メールシステムにおける迷惑電子メールのブロックプログラムにおいて、前記受信サーバプログラムは受信した前記電子メールのメールヘッダを参照し、予め定められた方法により前記電子メールが前記迷惑電子メールと判断することを特徴とする迷惑電子メールのブロックプログラム。
【請求項６】
前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする請求項５記載の迷惑電子メールのブロックプログラム。
【発明の詳細な説明】
【０００１】
【発明の属する技術分野】
本発明は迷惑電子メールのブロック方法及び迷惑電子メールのブロック方式及び迷惑電子メールのブロックプログラムに関し、特にスパムメールの配布を防止する迷惑電子メールのブロック方法及び迷惑電子メールのブロック方式及び迷惑電子メールのブロックプログラムに関する。
【０００２】
【従来の技術】
近年、電子メールを用いて、不特定多数の相手にダイレクトメールを送りつける迷惑電子メール、いわゆるスパムメール（ＳＰＡＭＭａｉｌ）が問題になっている。スパムメールとは、多くはサイト紹介等の営利目的の広告メールのことで、最近では携帯電話の電子メールアドレス宛に無差別に大量に送信されている。
【０００３】
受け取る側からすれば、要求もしない、すぐに廃棄することになるメールをたくさん受信し、ほとんどの人は、出来れば防止したいと思っている。そして、返信メールによって、配送の中止を求めようと思っても、大抵の場合は、送信アドレスに実在しないアドレスを用いているためアクセスできないのが現状である。
【０００４】
このスパムメール防止策として、例えば、ｉモード（商標）では、ユーザ側でメール受信を拒否または許可するアドレス・ドメインを指定する方法と、受信サーバ側で宛先が不明なものを大量に含む電子メールをブロックする方法の、２つの対策を行っている。
【０００５】
また、インターネット上の電子メール転送装置において、電子メールの本文中の語句が予め電子メール転送装置に記憶された語句と一致した場合、その電子メールをスパムメールとする方法もある（例えば、特許文献１参照。）。
【０００６】
【特許文献１】
特開２０００−９２１１４（要約欄参照）
【０００７】
【発明が解決しようとする課題】
しかし、上述したｉモード（商標）方法では、スパムメールが完全にはブロックできず、宛先に送信されてしまう場合が多いという問題がある。
【０００８】
また、上述した特許文献１の方法では、電子メールの本文中の語句を調べるため、プライバシーにかかわる問題と、完全には防ぎきれないという問題があった。
【０００９】
本発明は、電子メールを受け取った受信サーバにおいて、Ｆｒｏｍデータを参照し、全角文字が含まれているかどうかによって、スパムメールかどうかを判断する、効率の良いスパムメール防止構成を提供することを目的とする。
【００１０】
【課題を解決するための手段】
本願の第１の発明は、送信者端末にて作成された電子メールを送信サーバからインターネットを介して送信先である受信サーバに送信し前記受信サーバから前記電子メールを受信者端末に送付する電子メールシステムにおける迷惑電子メールのブロック方法において、前記受信サーバは受信した前記電子メールのメールヘッダを参照し、予め定められた方法により前記電子メールが前記迷惑電子メールと判断することを特徴とする。
【００１１】
本願の第２の発明は、第１の発明の前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする。
【００１２】
本願の第３の発明は、送信者端末にて作成された電子メールを送信サーバからインターネットを介して送信先である受信サーバに送信し前記受信サーバから前記電子メールを受信者端末に送付する電子メールシステムにおける迷惑電子メールのブロック方式において、前記受信サーバは受信した前記電子メールのメールヘッダを参照し予め定められた方法により前記電子メールが前記迷惑電子メールと判断するＦｒｏｍデータ確認手段を含んで構成されることを特徴とする。
【００１３】
本願の第４の発明は、第３の発明の前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする。
【００１４】
本願の第５の発明は、送信者端末にて作成された電子メールを送信サーバからインターネットを介して送信先である受信サーバに送信し前記受信サーバから前記電子メールを受信者端末に送付する電子メールシステムにおける迷惑電子メールのブロックプログラムにおいて、前記受信サーバプログラムは受信した前記電子メールのメールヘッダを参照し、予め定められた方法により前記電子メールが前記迷惑電子メールと判断することを特徴とする。
【００１５】
本願の第６の発明は、第５の発明の前記予め定められた方法とは、前記メールヘッダのＦｒｏｍデータに全角文字が含まれているかどうかの判断を行い、前記全角文字が含まれている場合に受信した前記電子メールを前記迷惑電子メールとすることを特徴とする。
【００１６】
【発明の実施の形態】
次に、本発明の実施の形態について図面を参照して詳細に説明する。
【００１７】
図１は、本発明に係わる電子メールシステムの一実施の形態を示す構成図である。
【００１８】
図１を参照すると、本発明の迷惑電子メールのブロック方式は送信者端末１、送信サーバ２、受信サーバ４、受信者端末５から構成されている。送信サーバと受信サーバはインターネット３でつながっている。
【００１９】
図１において、通常電子メールの送受信は、概略次のように行われる。
【００２０】
送信者は、送信者端末１にて電子メールを作成する。
【００２１】
送信者は、作成した電子メールを送信者端末から送信サーバに渡す。
【００２２】
送信者端末より電子メールを受け取った送信サーバは、インターネットを介して送信先である受信サーバと交信し、電子メールを渡す。
【００２３】
送信サーバより電子メールを受け取った受信サーバは、電子メールを受信者に渡す。
【００２４】
このとき、送信サーバから電子メールを受け取った受信サーバにおいて、Ｆｒｏｍデータを参照し、全角文字が含まれているかどうかを確認する。
【００２５】
Ｆｒｏｍアドレスとは、送信元のメールアドレスのことで、電子メールにつけられる制御用のデータであるメールヘッダ内に「Ｆｒｏｍデータ」として存在する。
【００２６】
Ｆｒｏｍデータが不正かどうかを判断する基準として、本発明では、全角文字が含まれているかどうかを用いる。現時点ではメールアドレスとして全角文字は使用できないため、Ｆｒｏｍデータに全角文字が含まれている場合は送信元メールアドレスを偽装していることになるからである。
【００２７】
次に、本発明の実施の形態の動作について図面を参照して説明する。
【００２８】
次に、図２のフローチャートを参照して本実施例の全体の動作について詳細に説明する。
【００２９】
まず、送信者は電子メールを作成し（ステップ１）、送信者端末１から送信サーバに作成した電子メールを送信する（ステップ２）。
【００３０】
送信者端末から電子メールを受け取った送信サーバ２は、宛先より受信サーバ４を検索してその受信サーバと交信し（ステップ３）、受信サーバ４に電子メールを送信する（ステップ４）。
【００３１】
送信サーバ２より電子メールを受け取った受信サーバ４は、Ｆｒｏｍデータ確認手段（図示せず）によりメールヘッダを参照し、「Ｆｒｏｍデータに全角文字が含まれているかどうか」の判断を行う（ステップ５）。
【００３２】
全角文字が含まれている場合、送信サーバより受け取った電子メールを保守管理サーバ６に転送する（ステップ６）。
【００３３】
全角文字が含まれていない場合、送信サーバより受け取った電子メールを受信者端末５に送信する（ステップ７）。
【００３４】
受信者端末５は、受信サーバ４から電子メールを受信する（ステップ８）。
【００３５】
尚、ステップ５で取得した文字コードから全角文字であるかどうかを判断する方法として、例えば、シフトＪＩＳコードの場合、文字コードが０ｘ８１３Ｆ（１６進数）以上の場合、全角文字と判断する。
【００３６】
他のコード（ＪＩＳコード、ＥＵＣコード等）の場合は、半角／全角の境界の値が０ｘ８１３Ｆから他の値に変わる。（参考文献：ｈｔｔｐ：／／ａｓｈ．ｊｐ／ｃｏｄｅ／ｉｎｄｅｘ．ｈｔｍ）
【００３７】
【発明の効果】
以上説明したように、本発明は、受信サーバにおいて、Ｆｒｏｍデータを参照し、全角文字が含まれているかどうかによって、スパムメールかどうかを判断することにより、有効的なスパムメール防止策を提供できる効果がある。
【図面の簡単な説明】
【図１】本発明に係わる電子メールシステムの一実施の形態を示す構成図である。
【図２】本発明に係わる電子メールシステムの一実施の形態を示す動作フロー図である。
【符号の説明】
１    送信者端末
２    送信サーバ
３    インターネット
４    受信サーバ
５    受信者端末
６    保守管理サーバ
【図１】
2004248135.tif 000003
【図２】
2004248135.tif 000004